(57)【要約】【課題】  本発明は、前記課題を解決するものであり、顔料インク等により汚れた搬送ローラを普通紙を用いてクリーニングする機能を備えた画像記録装置を提供することを目的としている。【解決手段】  上記課題を解決するために、本発明に係る画像記録装置の代表的な構成は、記録手段と、記録媒体を挟持搬送する第一搬送ローラと、前記第一搬送ローラよりも記録媒体の搬送方向下流側に配置された第二搬送ローラとを備えた画像記録装置において、前記第一および第二搬送ローラの両方で記録媒体を挟持搬送しつつ、前記第一搬送ローラよりも前記第二搬送ローラのシート搬送速度を速くして、いずれか一方のローラ対を空転させることにより、空転したローラ対の表面をクリーニングすることを特徴とする。【選択図】    図１
2005170549.tif 000002
【特許請求の範囲】
【請求項１】
記録手段と、記録媒体を挟持搬送する第一搬送ローラと、前記第一搬送ローラよりも記録媒体の搬送方向下流側に配置された第二搬送ローラとを備えた画像記録装置において、
前記第一および第二搬送ローラの両方で記録媒体を挟持搬送しつつ、前記第一搬送ローラよりも前記第二搬送ローラのシート搬送速度を速くして、いずれか一方のローラ対を空転させることにより、空転したローラ対の表面をクリーニングすることを特徴とする画像記録装置。
【請求項２】
記録手段と、記録媒体を挟持搬送する第一搬送ローラと、前記第一搬送ローラよりも記録媒体の搬送方向下流側に配置された第二搬送ローラとを備えた画像記録装置において、
前記第一および第二搬送ローラの両方で記録媒体を挟持搬送しつつ、搬送方向上流側の前記第一搬送ローラを搬送方向に対し逆方向に回転させ、搬送方向下流側の前記第二搬送ローラを搬送方向に対し順方向に回転させることにより、いずれか一方のローラ対を空転させ、空転したローラ対の表面をクリーニングすることを特徴とする画像記録装置。
【請求項３】
前記第一搬送ローラは記録に用いるプラテンローラであり、
前記第二搬送ローラは記録後の記録媒体を再度前記プラテンローラの上流側に搬送する両面送りローラ対であることを特徴とする請求項１または２記載の画像記録装置。
【請求項４】
前記記録手段によって記録を行わずに記録媒体を搬送し、前記クリーニング処理を行うことを特徴とする請求項１または２記載の画像記録装置。
【請求項５】
前記第一および第二搬送ローラのうち、空転させないローラ対と記録媒体との静止摩擦係数が、空転させたいローラ対と記録媒体との動摩擦係数より高くなるよう構成したことを特徴とする請求項１または２記載の画像記録装置。
【請求項６】
前記記録手段はインクジェット記録方式であって、少なくとも１色は顔料インクであることを特徴とする請求項１または２記載の画像記録装置。
【請求項７】
前記記録手段は、インク吐出用の熱エネルギーを発生するための電気熱変換体を備えていることを特徴とする請求項１または２記載の画像記録装置。
【請求項８】
前記記録手段は、前記電気熱変換体によって印加される熱エネルギーにより、インクに生ずる膜沸騰を利用して吐出口よりインクを吐出させることを特徴とする請求項１または２記載の画像記録装置。
【発明の詳細な説明】
【技術分野】
【０００１】
本発明は、画像を記録した記録媒体を搬送ローラによって挟持搬送する画像記録装置に関し、特に使用者の手をわずらわせることなく搬送ローラのクリーニングを行うものである。
【背景技術】
【０００２】
プリンタやファクシミリなどの画像記録装置は、記録信号に基づいて記録ヘッドのドット形成手段を駆動することにより、前記信号（画像情報）に対応するドットパターンを記録媒体（通常は記録シート）上に形成していくように構成されている。このような画像記録装置の一形式としてインクジェット方式を用いた記録装置があるが、これは記録ヘッドから前記信号に応じてインク滴を飛翔させ、シートやプラスチック薄板等の記録媒体に前記インク滴を付着させて画像を形成するものである。
【０００３】
ところで、前記インクジェット記録装置において両面記録機能を有するものは、記録媒体にインク滴を吐出させて文字又は画像を形成する性質上、記録直後の記録媒体表面のインクが乾燥しておらず、連続して裏面記録に移行すると積載された次の記録媒体やプラテン、搬送ローラなどを汚してしまうおそれがあった。このため従来は、裏面記録に移る前に一定の待機時間を設けてインクの乾燥を待ち、インクによる汚れを防止するようにしていた。
【０００４】
【特許文献１】特開２００３−３１２８８１
【特許文献２】特開２０００−２６４４７１
【発明の開示】
【発明が解決しようとする課題】
【０００５】
しかしながら、上記従来例のように裏面記録に移る前に一定の待機時間を設けても、記録媒体の種類等によりインクが乾燥するまでの時間に差異が生じるため、記録媒体表面のインクが乾燥していない状態で裏面記録に移ってしまう可能性があり、インクによる汚れ等が発生する場合があった。
【０００６】
また、インクジェット記録用のインクにおいて、インクジェット記録画像の堅牢性のより一層の向上を目指して、インク中の色材に顔料を採用することの検討が活発となってきている。しかしながら、インクジェット記録用顔料インクは、耐水性、耐光性といった堅牢性は染料インクに比べ向上しているが、記録後の耐擦過性（擦りに対する堅牢性）においては不充分である。
【０００７】
そのため、裏面記録に移る前に一定の待機時間を設けても、顔料インクの耐擦過性が不十分なために、何度も顔料インクを用いて両面印刷を行った場合には、記録手段の下流側にある搬送ローラ（第二搬送ローラ）がインク中の顔料で汚れてしまう。すなわち顔料インクを用いたインクジェット記録装置においては、搬送ローラに汚れが付着して以後の記録媒体を汚したり、裏写りしてしまうという問題が従来よりも発生しやすい。
【０００８】
従来からも、搬送ローラをクリーニングするために、様々な構成が提案されている。例えば特許文献１は、テープ状のクリーニング部材をニップさせてローラの汚れを除去するものである。特許文献２には、通紙することにより搬送ローラなどを清掃するクリーニングシートの構成が記載されている。しかし、いずれも専用のクリーニング部材（シート）を必要とするものであり、使用者がこれを準備または管理するのは手間であり、また金銭的負担も課すものであった。
【０００９】
そこで本発明は、前記課題を解決するものであり、顔料インク等により汚れた搬送ローラを普通紙を用いてクリーニングする機能を備えた画像記録装置を提供することを目的としている。
【課題を解決するための手段】
【００１０】
上記課題を解決するために、本発明に係る画像記録装置の代表的な構成は、記録手段と、記録媒体を挟持搬送する第一搬送ローラと、前記第一搬送ローラよりも記録媒体の搬送方向下流側に配置された第二搬送ローラとを備えた画像記録装置において、前記第一および第二搬送ローラの両方で記録媒体を挟持搬送しつつ、前記第一搬送ローラよりも前記第二搬送ローラのシート搬送速度を速くして、いずれか一方のローラ対を空転させることにより、空転したローラ対の表面をクリーニングすることを特徴とする。
【発明の効果】
【００１１】
本発明によれば、普通紙上で搬送ローラを空回りさせ、ローラ対の汚れを記録媒体上に擦りつけることにより、ローラ対表面をクリーニングすることができる。従って顔料インクを用いて搬送ローラが汚れやすい記録装置であっても、安価かつ簡便に搬送ローラのクリーニングを行うことができ、搬送ローラの汚れで記録媒体を汚してしまうことがない。
【発明を実施するための最良の形態】
【００１２】
［第一実施例］
本発明に係る画像記録装置の第一実施例について、図を用いて説明する。
【００１３】
まず画像記録装置の全体構成について説明する。図１は本実施例に係る画像記録装置の全体構成図、図２は両面送りローラ対を説明する図である。
【００１４】
画像記録装置１にはプラテン軸２を介してプラテンローラ３（第一搬送ローラ）が回転自在に支持されており、このプラテンローラ３の下側には一対のフィードローラ４、５が回転自在に配置されている。フィードローラ４、５はプラテンローラ３の外周面に常時圧接しており、プラテンローラ３の回転によって従動され、記録媒体６を所定方向に搬送するように構成されている。
【００１５】
また、前記プラテンローラ３の前方側（図１の左側）には第１ガイド板７がプラテンローラ３と所定間隔をおいて配置されている。前記第１ガイド板７はキャリッジ８に装着されており、このキャリッジ８には不図示の記録ヘッドが搭載されている。
【００１６】
本装置は記録ヘッドからインクを吐出して記録するインクジェット記録方式を用いている。即ち、この記録ヘッドは微細な液体吐出口（オリフィス）、液路及びこの液路の一部に設けられるエネルギー作用部と、該作用部にある液体に作用させる液滴形成エネルギーを発生するエネルギー発生手段を備えている。このようなエネルギーを発生するエネルギー発生手段としてはピエゾ素子等の電気機械変換体を用いた記録方法、レーザー等の電磁波を照射して発熱させ、該発熱による作用で液滴を吐出させるエネルギー発生手段を用いた記録方法、あるいは発熱抵抗体を有する発熱素子等の電気熱変換体によって液体を加熱して液体を吐出させるエネルギー発生手段を用いた記録方法等がある。
【００１７】
その中でも熱エネルギーによって液体を吐出させるインクジェット記録方法に用いられる記録ヘッドは、記録用の液滴を吐出して吐出用液滴を形成するための液体吐出口（オリフィス）を高密度に配列することができるために高解像度の記録をすることが可能である。その中でも電気熱変換体をエネルギー発生手段として用いた記録ヘッドは、コンパクト化も容易であり、且つ最近の半導体分野における技術の進歩と信頼性の向上が著しいＩＣ技術やマイクロ加工技術の長所を十二分に活用でき、高密度実装化が容易で、製造コストも安価なことから有利である。
【００１８】
プラテンローラ３の前方上側（図１の左上側）にはベイルローラ９が配設されている。ベイルローラ９は不図示の駆動源によりプラテンローラ３に圧接（図１の実線位置）又は離間（図１の破線位置）可能に構成されており、画像を記録した記録媒体を第２ガイド板10及び第３ガイド板11の間、または両面送りローラ対へと選択的に案内するものである。なお、ベイルローラ９はインク等による汚れを防止するために星形形状のものが望ましい。
【００１９】
両面送りローラ対（第二搬送ローラ）は、第１排出ローラ12と従動ローラ15とから構成され、第３ガイド板11の手前側（図１の右側）、換言すればベイルローラ９がプラテンローラ３に圧接した時に、ベイルローラ９とプラテンローラ３の圧接点を通る共通接線上の近傍に配設されている。第１排出ローラ12は回転軸13に固定されており、回転軸13は不図示のギア、ベルト、フリクションローラ等によりプラテン軸２に連結されている。
【００２０】
図２に詳細に示すように、第１排出ローラ12の一側端側には円周方向に一定間隔おきに複数の歯部14が形成されており、この歯部14の間に記録媒体６の後端部が嵌入した状態で持ち上げられ、一定角度回転させられるように構成されている。従動ローラ15は軸16に回転自在に支持されて第１排出ローラ12に圧接し、第１排出ローラ12の回転に追従して回転するように構成されている。なお、従動ローラ15は図示してないが星形形状の拍車ローラであっても良い。
【００２１】
第２ガイド板10及び第３ガイド板11の上方には、第２排出ローラ17が配置されている。第２排出ローラ17は回転軸18に固定され、回転軸18は不図示のギア、ベルト、フリクションローラ等によってプラテン軸２に連結されている。第２排出ローラ17の一側端側には、第１排出ローラ12と同様に、円周方向に一定間隔おきに複数の歯部19が形成されている。また、第２排出ローラ17の外周面にも第１排出ローラ12と同様にして軸23に回転自在に支持された従動ローラ22が圧接しており、従動ローラ22は第２排出ローラ17の回転に追従して回転されるように構成されている。
【００２２】
また、第２排出ローラ17の回転軸18には軸受18ａが嵌装されていると共に、軸受18ａの外周にはペーパートレイ20が回転自在に装着されている。ペーパートレイ20は排出された記録媒体６を積載するためのものであって、ストッパ21によって手前側への倒れを防止している。更に従動ローラ22の軸23には押さえ板24が回転自在に装着されており、この押さえ板24によってペーパートレイ20に積載された記録媒体６の倒れを防止している。なお、記録媒体の供給部にも、記録媒体６の倒れ防止板25が画像記録装置１の上面に取り付けられている。
【００２３】
次に、以上のように構成された画像記録装置の動作について説明する。図３〜図６は、本実施例に係る画像記録装置の動作を説明する図である。
【００２４】
まず図１に示すように、表面記録時（第１パス時）においては、記録媒体６をその表面６ａが記録面になるようにセットする。尚、記録媒体６を挿入セットする際は、キャリッジ８が記録媒体の幅方向中央部に位置するようにし、第１ガイド板７に沿って送り込むようにする。また、このときベイルローラ９は一定圧力でプラテンローラ３に圧接された状態（図１の実線位置）にしておく。そして、プラテンローラ３を回転駆動すると、図３に示すように、記録媒体６の先端部はプラテンローラ３とベイルローラ９との接合面に導かれ、不図示の記録ヘッドにより画像の記録が行われる。
【００２５】
記録後、記録媒体６はプラテンローラ３とベイルローラ９との接線方向に排出され、第１排出ローラ12と従動ローラ15との接合点に導かれる。そして、記録媒体６の後端部は、図４に示すように第１排出ローラ12の歯部14の間に嵌入し、第１排出ローラ12の回転によって持ち上げられ一定角度回転され、図５に示すように記録媒体の挿入口に導かれる。このとき記録媒体６は、その裏面６ｂが記録面となるようにセットされた状態となる。
【００２６】
次に、裏面記録時（第２パス時）には、図５に示すように、予めベイルローラ９をプラテンローラ３上の破線位置から実線位置に離間させてた状態で、記録媒体６の裏面６ｂに記録を行う。従って記録媒体６の先端部はプラテンローラ３と第１ガイド板７との間を通過した後、図６に示すように第２ガイド板10及び第３ガイド板11で構成される通路を通って第２排出ローラ17と従動ローラ22との接合点に達する。そして、この接合点通過後は押さえ板24に規制された状態でペーパートレイ20に押し込まれていき、最後には記録媒体６の後端部が第２排出ローラ17の歯部19によって持ち上げられ、ペーパートレイ20に積載される。
【００２７】
上記説明からわかるように、まず表面記録時に記録媒体上のインクによって汚されるローラ、すなわち記録面と接するローラは、ベイルローラ９、従動ローラ15である。次に裏面記録時に汚されるローラは、プラテンローラ３、第２排出ローラ17、従動ローラ22である。これらのローラをクリーニングするための構成は、以下のようである。
【００２８】
まず、普通紙を記録装置にセットし、記録を行わずに普通紙を両面送りローラ対（第二搬送ローラ：第１排出ローラ12と従動ローラ15）へと導く。このときに従動ローラ15と第１排出ローラ12のシート搬送速度を、プラテンローラ３（第一搬送ローラ）とフィードローラ４、５）によるシート搬送速度より高速に設定する。これにより、プラテンローラ３と両面送りローラ対の両方で記録媒体を挟持搬送している状態において、第１排出ローラ12および従動ローラ15が普通紙上を空転するように構成する。
【００２９】
これにより、搬送ローラが記録媒体上のインクによって汚されていたとしても、ローラ状の汚れを普通紙上に擦りつけることでローラ表面をクリーニングすることができる。特に、清掃用の専用シートを用いることなく普通紙を用いてクリーニングを行うことができることにより、使用者が専用シートを準備、購入、補完しておく必要がなく、安価かつ簡便にクリーニングを行うことができる利点を有している。
【００３０】
なお、インクジェット記録装置において、プラテン近傍で二つのローラ対に記録媒体が挟持搬送されている場合、記録媒体を波打たせないために、下流側にあるローラ対のシート搬送速度をわずかに速くする構成は従来から行われている。これは、下流側のローラの回転を速くするほか、下流側のローラの径を大きくすることによっても実現されている。本発明はこれに対し、さらに下流側のローラ対を高速に回転させることにより、意図的にローラ対を空転させるものである。
【００３１】
従って、第二搬送ローラとしての第１排出ローラ12と従動ローラ15は、通常記録における搬送時とクリーニング動作時とで回転速度が異なる必要があり、不図示の回転速度切り替え機構を備えている。また従動ローラ15が全くの自由回転では、高速回転時にあっても記録媒体に従動してしまうため、空転させることができない。従って、クリーニング動作時にあっては、従動ローラ15にも高速な回転駆動を与えることが望ましい。
【００３２】
また、二つのローラ対で挟持搬送した場合、第一および第二搬送ローラのうち、空転させないローラ対と記録媒体との静止摩擦係数が、空転させたいローラ対と記録媒体との動摩擦係数より高くなるよう構成する必要がある。ここで通常記録のためにはプラテンローラ３における静止摩擦係数の方が第１排出ローラ12における動摩擦係数よりも大きく設定されているのが通常であるから、このまま回転速度のみを変更すれば第１排出ローラ12および従動ローラ15（第二搬送ローラ）がクリーニングされることとなる。
【００３３】
従ってプラテンローラ３（第一搬送ローラ）をクリーニングしたい場合には、相互の摩擦係数の関係を変更する必要がある。この摩擦係数のコントロールはローラーの材質が同じであればローラの圧力を調整することで容易に設定可能である。従って例えば、第１排出ローラ12と従動ローラ15とを付勢している圧力を変更して、その静止摩擦係数をプラテンローラ３の動摩擦係数よりも大きくすることによって、プラテンローラ３を空転させてクリーニングすることが可能となる。圧力の変更は、例えばローラ軸を付勢する弾性部材をソレノイドによって支持しておき、ソレノイドをＯＮ／ＯＦＦすることによって弾性係数を変更するなどの機構により、容易に構成することができる。なお、一度のクリーニング動作において圧力の変更を行い、第一搬送ローラと第二搬送ローラの両方をクリーニングするよう構成することでもよい。
【００３４】
上記説明において第二搬送ローラは両面送りローラ（第１排出ローラ12と従動ローラ15）であったが、第２排出ローラ17と従動ローラ22を置き換えても同様に本発明を構成することができ、その効果を得ることができる。
【００３５】
また、インクジェット記録装置以外の、例えば電子写真方式やドットプリンタ方式の画像記録装置であっても、二つのローラ対によって同時に記録媒体を挟持搬送する構成を有する画像記録装置であれば、本発明の構成を適用することができる。
【００３６】
［第二実施例］
次に本発明の第二実施例に係るインクジェット記録装置について説明する。上記第一実施例と説明の重複する部分については同一の符号を用いて説明を省略する。
【００３７】
上記第一実施例においては、第一搬送ローラよりも第二搬送ローラのシート搬送速度を早くすることにより、一方の搬送ローラを空転させる構成であった。これに対し本実施例は、搬送方向上流側の第一搬送ローラを搬送方向に対し逆方向に回転させ、搬送方向下流側の第二搬送ローラを搬送方向に対し順方向に回転させることにより、いずれか一方のローラ対を空転させるものである。
【００３８】
具体的には、普通紙を記録を行わずに搬送し、図３に示すようにプラテンローラ３と両面送りローラ（第１排出ローラ12と従動ローラ15）の両方に挟持搬送される状態とする。ついで、両面送りローラはシート搬送方向に対し順方向に回転駆動し、プラテンローラ３は逆方向に回転駆動させる。これにより、プラテンローラ３と両面送りローラのいずれか一方は空転することとなり、ローラの汚れを記録媒体上に擦りつけることにより、ローラ表面をクリーニングすることが可能になる。尚、このときにクリーニングしたい方のローラの動摩擦係数が逆回転させるローラの静止摩擦係数よりも低くなるよう構成することで、クリーニングを行うローラを選択することが可能である。
【００３９】
なお、第一搬送ローラと第二搬送ローラの一方を停止させて記録媒体を把持し、他方を空転させることによりクリーニングを行う構成も考えられる。この場合においては、回転を停止したローラにおいて記録媒体がスリップしたのではクリーニングが行われないため、かならず停止したローラにおける静止摩擦係数が、回転するローラの動摩擦係数よりも大きくなるよう構成する必要がある。
【００４０】
［他の実施例］
前述した実施例では記録手段としてインクジェット記録方式を用いたが、記録信号に応じて電気熱変換体に通電し、前記電気熱変換体によって印加される熱エネルギーにより、インクに生ずる膜沸騰を利用してインクに生ずる気泡の成長、収縮により、インクを吐出口より吐出して記録を行うように構成すると更に好ましい。
【００４１】
その代表的な構成や原理については、例えば米国特許第4723129号明細書、同第4740796号明細書に開示されている基本的な原理を用いて行うものが好ましい。この方式は所謂オンデマンド型、コンティニュアス型の何れにも適用可能であるが、特にオンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に一対一で対応した液体内の気泡を形成できるので有効である。この気泡の成長、収縮により吐出用開口を介して液体を吐出させて、少なくとも１つの滴を形成する。この駆動信号をパルス形状とすると、即時適切に気泡の成長収縮が行われるので、特に優れた液体の吐出が達成でき、より好ましい。
【００４２】
前記パルス形状の駆動信号としては、米国特許第4463359号明細書、同第4345262号明細書に記載されているようなものが適している。尚、前記熱作用面の温度上昇率に関する発明の米国特許第4313124号明細書に記載されている条件を採用すると、更に優れた記録を行うことができる。
【００４３】
記録ヘッドの構成としては、前述の各明細書に開示されているような吐出口、液路、電気熱変換体の組合せ構成（直線状液流路又は直角液流路）の他に熱作用部が屈曲する領域に配置されている構成を開示する米国特許第4558333号明細書、同第4459600号明細書を用いた構成も本発明に含まれるものである。
【００４４】
また複数の電気熱変換体に対して、共通するスリットを電気熱変換体の吐出部とする構成を開示する特開昭59-123670号公報や熱エネルギーの圧力波を吸収する開孔を吐出部に対応させる構成を開示する特開昭59-138461号公報に基づいた構成としても本発明の効果は有効である。即ち、記録ヘッドの形態がどのようなものであっても、本発明によれば記録を確実に効率良く行うことができるようになるからである。
【００４５】
更に、記録装置が記録できる記録媒体の最大幅に対応した長さを有するフルラインタイプの記録ヘッドに対しても本発明は有効に適用できる。そのような記録ヘッドとしては、複数記録ヘッドの組合せによって、その長さを満たす構成や、一体的に形成された１個の記録ヘッドとしての構成のいずれでも良い。
【００４６】
加えて、前述したシリアルタイプのものでも、キャリッジに固定された記録ヘッド、或いはキャリッジに装着されることで装置本体との電気的な接続や装置本体からのインクの供給が可能になる交換自在のチップタイプの記録ヘッド、或いは記録ヘッド自体に一体的にインクタンクが設けられたカートリッジタイプの記録ヘッドを用いても良い。
【００４７】
また本発明の記録装置の構成として設けられる、記録ヘッドの回復手段、予備的な補助手段等を付加することは本発明をの効果を一層安定できるので好ましいものである。これらを具体的に挙げれば、記録ヘッドに対してのキャッピング手段、クリーニング手段、加圧或いは吸引手段、電気熱変換タイプ或いはこれとは別の加熱素子或いはこれらの組合せによる予備加熱手段、記録とは別の吐出を行う予備吐出モードを行うことも安定した記録を行うために有効である。
【００４８】
またキャリッジに搭載される記録ヘッドの種類ないし個数についても、例えば単色のインクに対応して１個のみが設けられたものの他、記録色や濃度を異にする複数のインクに対応して複数個数設けられるものであって良い。即ち、例えば記録装置の記録モードとしては黒色等の主流色のみの記録モードでなく、記録ヘッドを一体的に構成する複数個の組合せによるかいずれでも良いが、異なる色の複色カラー、または混色によるフルカラーの少なくとも一つを備えた装置にも適用し得る。
【００４９】
更に加えて、前述した実施例に於いてはインクを液体として説明しているが、室温やそれ以下で固化するインクであって、室温で軟化若しくは液化するもの、或いはインクジェット記録方式ではインク自体を30℃以上70℃以下の範囲内で温度調整を行ってインクの粘性を安定吐出範囲にあるように温度制御するものが一般的であるから、使用記録信号付与時にインクが液状をなすものであれば良い。加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクが吐出されるものや、シートに到達する時点ではすでに固化し始めるもの等のような、熱エネルギーによって初めて液化する性質のインクを使用する場合も適用可能である。
【００５０】
このような場合のインクは、特開昭54-56847号公報或いは特開昭60-71260号公報に記載されるような、多孔質シート凹部または貫通孔に液状又は固形物として保持された状態で、電気熱変換体に対して対向するような形態としても良い。上述した各インクに対して最も有効なものは、前述した膜沸騰方式を実行するものである。
【００５１】
更に、前述したインクジェット記録装置の形態としては、コンピュータ等の情報処理機器の画像出力端末のして用いられるものの他、リーダ等と組み合わせた複写装置、更には送受信機能を有するファクシミリ装置の形態をとるもの等であっても良い。
【００５２】
尚、前述した記録手段としてインクジェット記録方式を用いた例を説明したが、本発明の記録方式はインクジェット記録方式に限定する必要はなく、他にも熱転写記録方式や感熱記録方式、更にはワイヤードット記録方式等の記録方式、或いはそれ以外の記録方式であっても適用し得る。またシリアル記録方式に限定する必要もなく、所謂ライン記録方式を用いても良い。
【産業上の利用可能性】
【００５３】
本発明は、２つの搬送ローラ対によって記録媒体を搬送する画像記録装置に利用することができ、普通紙を用いてローラを清掃することができる。
【図面の簡単な説明】
【００５４】
【図１】本実施例に係る画像記録装置の全体構成図である。
【図２】両面送りローラ対を説明する図である。
【図３】本実施例に係る画像記録装置の動作を説明する図である。
【図４】本実施例に係る画像記録装置の動作を説明する図である。
【図５】本実施例に係る画像記録装置の動作を説明する図である。
【図６】本実施例に係る画像記録装置の動作を説明する図である。
【符号の説明】
【００５５】
１    …画像記録装置
２    …プラテン軸
３    …プラテンローラ
４    …フィードローラ
５    …フィードローラ
６    …記録媒体
６ａ  …表面
６ｂ  …裏面
７    …第１ガイド板
８    …キャリッジ
９    …ベイルローラ
10    …第２ガイド板
11    …第３ガイド板
12    …第１排出ローラ
13    …回転軸
14    …歯部
15    …従動ローラ
16    …軸
17    …第２排出ローラ
18    …回転軸
18ａ  …軸受
19    …歯部
20    …ペーパートレイ
21    …ストッパ
22    …従動ローラ
23    …軸
24    …押さえ板
25    …倒れ防止板
【図１】
2005170549.tif 000003
【図２】
2005170549.tif 000004
【図３】
2005170549.tif 000005
【図４】
2005170549.tif 000006
【図５】
2005170549.tif 000007
【図６】
2005170549.tif 000008